(57)【要約】【課題】複数のカードスロットを備える、剛性の低下を抑制した撮像装置を提供する。【解決手段】撮像装置の一例であるデジタルビデオカメラは、メモリカード１７ａ，１７ｂを挿抜可能な上段・下段カードスロット１８ａ，１８ｂを一定の間隔を空けて本体部１１に配置された構造を有する。デジタルビデオカメラは、上段・下段カードスロット１８ａ，１８ｂの開口部及び上段・下段カードスロット１８ａ，１８ｂ間に形成されている空間に配置される梁形状部１９ｂを有するスロットホルダ１９を有しており、本体部１１において上段・下段カードスロット１８ａ，１８ｂ間に形成されている空間に対向する部分と梁形状部１９ｂとを接続させて本体部１１の剛性を高める。【選択図】図８
2012134752.tif 000002
【特許請求の範囲】
【請求項１】
メモリカードを挿抜可能な複数のカードスロットが一定の間隔を空けて本体部に配置された撮像装置であって、
前記複数のカードスロットの開口部と、前記複数のカードスロットの間に形成されている空間に配置される第１の梁形状部とを有するスロットホルダを有し、
前記本体部において前記空間に対向する部分と前記第１の梁形状部とが嵌合により接続されることを特徴とする撮像装置。
【請求項２】
前記スロットホルダは、前記第１の梁形状部との間に前記複数のカードスロットのうち少なくとも１つのカードスロットが位置するように設けられた第２の梁形状部を有することを特徴とする請求項１記載の撮像装置。
【請求項３】
前記第２の梁形状部の表面にリブが形成されていることを特徴とする請求項２記載の撮像装置。
【請求項４】
前記第２の梁形状部は第２の突起部を有し、前記本体部は前記第２の突起部と嵌合する第２の嵌合部を有し、前記第２の突起部と前記第２の嵌合部とを嵌合させることで前記本体部において前記空間に対向する部分と前記第２の梁形状部とが接続されることを特徴とする請求項３又は４に記載の撮像装置。
【請求項５】
当該撮像装置を操作する操作手段を更に備え、
前記操作手段の端部が前記スロットホルダの側面壁部に当接していることを特徴とする請求項１乃至４のいずれか１項に記載の撮像装置。
【請求項６】
前記操作手段は、動画撮影を行うためのトリガーボタンであることを特徴とする請求項５記載の撮像装置。
【発明の詳細な説明】
【技術分野】
【０００１】
本発明は、複数のカードスロットを備える撮像装置に関する。
【背景技術】
【０００２】
近年、ビデオカメラ等の撮像装置では、撮影データをＳＤカード等のメモリカードに記録するものが多くなってきている。また、長時間の撮影に対応するために、大容量のメモリカードが使用可能な撮像装置も増えているが、複数枚のメモリカードを挿入可能な撮像装置も登場している（例えば、特許文献１参照）。
【先行技術文献】
【特許文献】
【０００３】
【特許文献１】特開２００６−３１１６８号公報
【発明の概要】
【発明が解決しようとする課題】
【０００４】
しかしながら、特許文献１に記載されている撮像装置のように、複数のカードスロットを挿入方向の位置をずらして階段状に配置することができない場合がある。その場合、複数のカードスロットを平行配置するレイアウトにすることが考えられる。ここで、撮像装置に対するメモリカードの着脱にプッシュイン・プッシュイジェクト方式のカードスロットが用いられている場合、一般的に、メモリカードの挿入時は、ユーザがメモリカードをカードスロットに押し込むことでメモリカードは装着ロックされる。また、メモリカードの抜去時は、ユーザがメモリカードの幅方向中心付近をプッシュするだけで、ロックが解除され、メモリカードがイジェクトされる。
【０００５】
したがって、一方のメモリカードを挿抜する際に装着済みの別のメモリカードを誤ってプッシュしてしまう等の誤挿抜を防止するために、カードスロット同士の間に一定の離間距離を設ける必要がある。しかし、カードスロット同士を離間して配置すると、カードスロット間に空間ができてしまい、撮像装置の剛性が低下するという問題がある。
【０００６】
本発明は、複数のカードスロットを備えることによる剛性低下を抑制した撮像装置を提供することを目的とする。
【課題を解決するための手段】
【０００７】
本発明に係る撮像装置は、メモリカードを挿抜可能な複数のカードスロットが一定の間隔を空けて本体部に配置された撮像装置であって、前記複数のカードスロットの開口部と、前記複数のカードスロットの間に形成されている空間に配置される第１の梁形状部とを有するスロットホルダを有し、前記本体部において前記空間に対向する部分と前記第１の梁形状部とが接続されることを特徴とする。
【発明の効果】
【０００８】
本発明によれば、複数のカードスロットを備えた撮像装置において、剛性の低下を抑制することができる。
【図面の簡単な説明】
【０００９】
【図１】本発明の実施形態に係るデジタルビデオカメラの外観を示す斜視図である。
【図２】デジタルビデオカメラにおいて、カード蓋が開かれた状態を示す斜視図である。
【図３】デジタルビデオカメラをグリップ側（ディスプレイユニットが配置されている面の反対側）から見た斜視図である。
【図４】ジャックカバーが開かれたデジタルビデオカメラの状態を示す斜視図である。
【図５】グリップカバーとジャックカバーを取り除いたデジタルビデオカメラの状態を示す斜視図である。
【図６】デジタルビデオカメラにおける、メイン基板、スロットホルダ及び上段・下段カードスロットの位置関係を示す斜視図である。
【図７】デジタルビデオカメラが備えるグリップカバーの内側面の構造を示す斜視図である。
【図８】デジタルビデオカメラにおいて、グリップカバーとスロットホルダとを嵌合させた状態を示す斜視図である。
【図９】デジタルビデオカメラにおける、トリガーボタンの内部構造を示す斜視図である。
【発明を実施するための形態】
【００１０】
以下、本発明の実施形態に係る撮像装置について、添付図面を参照して詳細に説明する。ここでは、撮像装置の一例として、所謂、デジタルビデオカメラを取り上げることとするが、本発明は、複数のメモリカードを挿抜可能な撮像装置、例えば、デジタルスチルカメラであってもよく、更にこれに限定されるものではない。
【００１１】
図１は、本発明の実施形態に係るデジタルビデオカメラの外観を示す斜視図である。デジタルビデオカメラの本体である本体部１１には、操作手段として、光学ズームを変更するズームレバー１２、静止画撮影を行うためのレリーズボタン１３、動画撮影を行うためのトリガーボタン１４が設けられている。また、本体部１１は、画像を表示するディスプレイユニット１５を備えている。
【００１２】
なお、本体部１１の内部には、画像や音声を記録、再生する記録再生部（不図示）が設けられている。図１にはディスプレイユニット１５が開かれ、メモリカードの収容部がカード蓋１６によって閉塞された状態が示されており、ユーザはディスプレイユニット１５が開いた状態でカード蓋１６を開閉することができる。
【００１３】
図２は、図１に示されるデジタルビデオカメラのカード蓋１６が開かれた状態を示す斜視図である。カメラ本体１においてカード蓋１６により開閉される部分には、一定の間隔を空けて配置された上段カードスロット１８ａと下段カードスロット１８ｂ（図２に不図示、後述する図６参照）が備えられている。図２の状態では、上段・下段カードスロット１８ａ，１８ｂにそれぞれ、メモリカード１７ａ，１７ｂが挿入され、保持されている。
【００１４】
本実施形態では、メモリカード１７ａ，１７ｂをプッシュイン・プッシュイジェクト方式で上段・下段カードスロット１８ａ，１８ｂに挿抜する。そのため、メモリカード１７ａ，１７ｂの挿入時は、ユーザがメモリカード１７ａ，１７ｂをそれぞれ上段・下段カードスロット１８ａ，１８ｂに押し込むことでメモリカード１７ａ，１７ｂが装着ロックされる。また、メモリカード１７ａ，１７ｂの抜去時には、ユーザがメモリカード１７ａ，１７ｂの幅方向中心付近をプッシュするだけでロックが解除され、メモリカード１７ａ，１７ｂがイジェクトされる。ユーザがメモリカード１７ａ，１７ｂのいずれか一方を挿抜する際に他方が邪魔にならないように、上段カードスロット１８ａと下段カードスロット１８ｂとは、一定の距離を空けて配置されている。上段・下段カードスロット１８ａ，１８ｂの開口部（挿入口）を形成する部材であるスロットホルダ１９は、ユーザがメモリカード１７ａ，１７ｂの挿抜を行い易くなるように、その中央部に凹部１９ａを有している。
【００１５】
図３は、図１に示されるデジタルビデオカメラをグリップ側（ディスプレイユニット１５が配置されている面の反対側）からみた斜視図である。本体部１１の一側面は、グリップカバー２０とジャックカバー２１とで構成されている。つまり、グリップカバー２０とジャックカバー２１は共に、本体部１１の一部である。
【００１６】
図４は、図３に示されるジャックカバー２１が開かれたデジタルビデオカメラの状態を示す斜視図である。ジャックカバー２１を外した際に本体部１１に露出する部分には、映像・音声の出力をするＡＶ端子２２と、映像を出力するコンポーネント端子２３と、本体部１１に電源を供給する電源端子２４とが設けられている。
【００１７】
図５は、図３に示されるデジタルビデオカメラの状態からグリップカバー２０とジャックカバー２１を取り除いた状態を示す斜視図である。ＡＶ端子２２、コンポーネント端子２３及び電源端子２４が実装されたフレキシブル基板であるジャックフレキ２５は、メイン基板２６に接続されている。電源端子２４に入力される電力は、ジャックフレキ２５に半田付け等により接続された電源ワイヤ２７を通してメイン基板２６に供給される。また、この電源ワイヤ２７はスロットホルダ１９のリブに挟まれており、これにより配設位置が固定されている。
【００１８】
図６は、デジタルビデオカメラにおける、メイン基板２６、スロットホルダ１９及び上段・下段カードスロット１８ａ，１８ｂの位置関係を示す斜視図である。下段カードスロット１８ｂはメイン基板２６に実装されており、上段カードスロット１８ａは、上段・下段カードスロット１８ａ，１８ｂ間に配置されているカード基板２９に実装されている。カード基板２９とメイン基板２６とは、データのやり取りを行うためにカードフレキ２８で接続されている。
【００１９】
スロットホルダ１９は、下段カードスロット１８ｂとカード基板２９との間の空間に配置された第１の梁形状部である梁形状部１９ｂと、梁形状部１９ｂの先端に設けられた第１の突起部であるボス形状部１９ｃ，１９ｄとを有している。スロットホルダ１９はまた、上段カードスロット１８ａの上位部に設けられた第２の梁形状部である上部梁形状部１９ｅを有しており、上部梁形状部１９ｅの先端には第２の突起部であるボス形状部１９ｆが設けられている。梁形状部１９ｂと上部梁形状部１９ｅとが上段カードスロット１８ａを囲む構造とすることで、スロットホルダ１９自体のみならず本体部１１の剛性が高められる。また、スロットホルダ１９の上部梁形状部１９ｅの表面には自身の剛性が高められるように多くのリブ（突起状の壁部）が設けられており、これにより本体部１１の剛性が高められている。
【００２０】
図７は、グリップカバー２０の内側面の構造を示す斜視図である。グリップカバー２０は、ＡＶ端子２２、コンポーネント端子２３及び電源端子２４をそれぞれ配置する開口部３１ａ，３１ｂ，３１ｃと、他の部品とビス止めするためのビス穴を備えている。本実施形態では、スロットホルダ１９の梁形状部１９ｂと上部梁形状部１９ｅがそれぞれグリップカバー２０の内側に当接するようになっており、これにより、グリップカバー２０が内側へ撓むことを防止して、本体部１１の剛性を高めている。グリップカバー２０において上段・下段カードスロット１８ａ，１８ｂの間の空間に対向する部分には、スロットホルダ１９のボス形状部１９ｃ，１９ｄとそれぞれ嵌合するように第１の嵌合部である嵌合部３２ａ，３２ｂが形成されている。
【００２１】
図８は、グリップカバー２０とスロットホルダ１９とを嵌合させた状態を示す斜視図である。スロットホルダ１９の梁形状部１９ｂに形成されているボス形状部１９ｃ，１９ｄとグリップカバー２０に形成されている嵌合部３２ａ，３２ｂとが嵌合することで、スロットホルダ１９に位置ずれが生じることを防止している。グリップカバー２０はまた、スロットホルダ１９の上部梁形状部１９ｅに形成されているボス形状部１９ｆと嵌合する第２の嵌合部である嵌合部３２ｃを有しており、ボス形状部１９ｆと嵌合部３２ｃとの嵌合によって本体部１１の剛性が更に高められている。
【００２２】
図８に示されるように、スロットホルダ１９は、グリップカバー２０と嵌合して本体部１１の剛性を高める部位以外に、カード蓋１６の回転軸を押さえる軸受け部１９ｇと、トリガーボタン１４が押しこまれたときの静圧を受ける側面壁部１９ｈとを有している。スロットホルダ１９自体の剛性はこれらの部位によっても高められており、ひいては、本体部１１の剛性が高められている。
【００２３】
図９は、トリガーボタン１４の内部構成を示す斜視図である。トリガーボタン１４を押下すると、フレキシブル基板であるトリガーフレキ４１に実装されたトリガースイッチ４２が信号を検出する。トリガーボタン１４は、図２の通り、本体部１１の背面に配置されており、本体部１１が背面を下にして落下したときに大きな衝撃が加わり易く、内部部品であるトリガースイッチ４２やトリガーフレキ４１を本体部１１の内部へ押し込もうとする。そこで本実施形態では、スロットホルダ１９の側面壁部１９ｈが、トリガーボタン１４の端部であるトリガーフレキ４１に対してホルダ板金４３を介して密着する構造を採っている。ここで、本体部１１の背面の外観カバーであるリアカバー（図９に不図示）に対して、ビスでスロットホルダ１９とホルダ板金４３、トリガーフレキ４１とを共締めしている。これにより、スロットホルダ１９はトリガーボタン１４に対しての静圧を受ける役割を果たし、ひいては本体部１１の剛性を高めている。
【００２４】
本発明に係る撮像装置では、以上に説明したスロットホルダ１９とグリップカバー２０のそれぞれの構造及び嵌合構造により、スロットホルダ１９及びグリップカバー２０のそれぞれの剛性が高められ、且つ、本体部１１の剛性が高められている。
【００２５】
以上、本発明をその好適な実施形態に基づいて詳述してきたが、本発明はこれら特定の実施形態に限られるものではなく、この発明の要旨を逸脱しない範囲の様々な形態も本発明に含まれる。また、撮像装置を構成する部品の形状は任意に変更することができる。
【符号の説明】
【００２６】
１１    カメラ本体
１５    ディスプレイユニット
１６    カード蓋
１８ａ    上段カードスロット
１８ｂ    下段カードスロット
１９    スロットホルダ
２０    グリップカバー
２６    メイン基板
２９    カード基板
３１ａ，３１ｂ，３１ｃ    開口部
３２ａ，３２ｂ，３２ｃ    嵌合部
４３    ホルダ板金
【図１】
2012134752.tif 000003
【図２】
2012134752.tif 000004
【図３】
2012134752.tif 000005
【図４】
2012134752.tif 000006
【図５】
2012134752.tif 000007
【図６】
2012134752.tif 000008
【図７】
2012134752.tif 000009
【図８】
2012134752.tif 000010
【図９】
2012134752.tif 000011